(57)【要約】【課題】枚葉印刷機においては、印刷速度が高速になるほど印刷物であるシートの暴れが大きくなるため、これを効果的に抑制するためのシート案内装置を提供する。【解決手段】空気を横吹きする吐出口が開口する案内面３１を備えたシート案内装置３０において、前記案内面３１に吸引口３３を開口する。この吸引口３３近傍に負圧領域が形成されることで、シート３は案内面３１に引き寄せられる。これによってシート３の暴れを効果的に抑制することのできるシート案内装置が実現される。【選択図】  図３
2016132517.tif 000002
【特許請求の範囲】
【請求項１】
搬送胴により先端が保持されて搬送されるシートを案内するための案内面と、この案内面に開口し前記シートの両側方に向けて空気を吐出する吐出口とを備えたシート搬送装置におけるシート案内装置において、前記案内面に開口した吸引口が設けられていることを特徴とするシート案内装置。
【請求項２】
前記吸引口が前記案内面の幅方向中央部に開口し、かつ前記案内面の幅方向中央部に向けて空気を吐出する中央部吐出口が前記案内面に開口していることを特徴とする請求項１に記載のシート案内装置。
【請求項３】
前記吸引口における前記シートと対向する開口縁が、凸曲面に形成されていることを特徴とする請求項１または２に記載のシート案内装置。
【発明の詳細な説明】
【技術分野】
【０００１】
本発明は、枚葉印刷機内に設置されるシートの暴れ、特にシート後端部の暴れを抑制するためのシート案内装置に関するものである。
【背景技術】
【０００２】
枚葉印刷機の機内には、印刷物であるシートを前工程から後工程へ確実に受け渡すための搬送胴が複数設けられており、例えば多色刷り枚葉印刷機における各色の印刷部の圧胴間に配設されているものは渡し胴とも呼ばれている。これら渡し胴は、いずれもシートの先端部を保持するくわえ爪装置を備え、その形状・構造については、円筒状を呈したものとスケルトン構造のものとが存在する。
【０００３】
このうち、円筒状を呈した渡し胴は、周面によってシートを案内しながら搬送する構造であることから、相対的に薄くて腰がないことで後端部が暴れ易いシートを搬送するのに適している。一方、円筒状を呈した渡し胴を用いて相対的に厚くて腰があり変形しにくいシートを搬送した場合、シートの印刷面と渡し胴の周面とが接触しながらシート全体がこの周面に沿って強制的に変形させられた状態で搬送されることになるため、この状態からシートの後端部が解放されるとシート自身が有する復元力によりシート後端部が跳ねて暴れが生じる。これに対しスケルトン構造の渡し胴では、周囲に空隙が形成されていることからシートの印刷面と渡し胴とが接触することがなく、またシートを大きく変形させることもないので前記跳ねによる暴れも生じないため、当該相対的に厚みがあって腰の強いシートを搬送するのに適している。  
【０００４】
ところで、実際の印刷現場においては、前記スケルトン構造からなる渡し胴を備えた枚葉印刷機を用いて、相対的に薄くて腰のないシートを高速で印刷する場合が少なくない。このとき、渡し胴の周囲に形成された空隙内で搬送中のシート後端部が暴れるなどして、傷や擦れが印刷面等に付くなどの印刷障害を引き起こすことが懸念される。このシート後端部の暴れは、圧胴から渡し胴へ受け渡されたシートが、先端部のみを保持された状態で上下に揺動しながら空気層を高速で通過することでシート後端に渦流が発生し、この渦流にシート後端部が巻き込まれるなどして発生するものと考えられる。この渦流は、印刷速度が上がるにつれて大きくなり、これに伴って前記シート後端部の暴れも大きくなるものと推定される。当該事象は、排出部に設けられたデリバリ胴およびデリバリチェーンによって搬送されるシートにおいても同様に発生するものと考えられる。
【０００５】
このようなシート後端部の暴れに起因した印刷障害を防止するために、現行の枚葉印刷機の多くは、前記渡し胴の下方に、この渡し胴の半径方向先端部に設けられたシート保持部が描く回転軌跡に倣った形状を呈する案内面と、この案内面にシートを引き寄せる構造とを備えたシート案内装置を設置している。
【０００６】
前記シートを引き寄せる構造に関する先行技術としては、前記シート案内装置が備える案内面上に、搬送されるシートの幅方向中央から両側方に向かって空気を吐出する空気吐出口が開口し、この空気吐出口からファン等で加圧した空気を横吹きすることによって、シートと案内面との間にシート幅方向中央部から両側方に向かって流れる空気の層（以下、空気流層という）を形成する技術が知られている（特許文献１参照）。この先行技術は、エネルギー保存則のもと流体の運動エネルギーが増加すれば流体の圧力エネルギーは相対的に減少するというベルヌーイの定理に基づくものであり、シート下面と案内面との間に速い流速を伴う空気流層が形成されるとシート下面の気圧が上面に比べて低下するという事象を利用したものである。この事象によって生じるシート上下面間の圧力差に起因した下向きの押し付け力によって、シートは案内面に引き寄せられる。また、この先行技術によれば、前記空気流層によってシートを両側方へ引き延ばす作用が生じるため、この作用によってもシート後端部の暴れが防止される。さらに、この先行技術によれば、シートと案内面との間に前記空気流層が介在することから互いに接触することはなく、安定した搬送が実現される。
【先行技術文献】
【特許文献】
【０００７】
【特許文献１】特許第３２３８３３２号公報
【発明の概要】
【発明が解決しようとする課題】
【０００８】
前記先行技術によるシート案内装置等を用いることで、前記シートの暴れをある程度抑制することができるものの、印刷速度の高速化によりシートの暴れがこれまで以上に大きくなっており、この大きな暴れを前記先行技術等によるシート案内装置では抑制できないという問題が顕在化している。
【０００９】
すなわち、前記先行技術によれば、前記吐出口から横吹きされた空気によって前記吐出口に近い領域に所定の流速を伴った空気流層が案内面に沿って形成されることから、この領域内に限ればシートは案内面に引き寄せられて暴れることなく安定した状態で搬送されるものの、前記空気流層は、特定の方向へ導かれることなく前記案内面の両側方に向かって流れるため、前記吐出口から遠ざかるにつれて次第に勢いを失い、シートの動きに引き摺られるなどして容易に乱される結果、シートの幅方向両端部側等での引き寄せ作用が低下して暴れを抑制できなくなる。
【００１０】
このように、印刷速度の高速化に伴いシートの暴れが大きくなる一方で、前記先行技術では空気流層の流速を安定的に維持できないことから、この大きな暴れを抑制するために必要な押し付け力を生じさせるだけの十分な圧力差を、シートの上下面間で発生させることができず、シートを安定して搬送させることができないという問題が顕在化している。
【００１１】
本発明は、以上に述べた問題に鑑みなされたものであり、その目的とするところは、印刷速度の高速化に伴うシート後端部の暴れを効果的に抑制することのできるシート案内装置を提供するところにある。
【課題を解決するための手段】
【００１２】
前記目的を達成するために本発明は、搬送胴により先端が保持されて搬送されるシートを案内するための案内面と、この案内面に開口し前記シートの両側方に向けて空気を吐出する吐出口とを備えたシート搬送装置におけるシート案内装置において、前記案内面に開口した吸引口が設けられていることを特徴とするものである。前記搬送胴とは、各色の印刷部の圧胴間に配設された渡し胴および排出部に設けられたデリバリ胴などである。
【００１３】
また、前記目的を達成するために本発明は、前記特徴に加え、前記吸引口が前記案内面の幅方向中央部に開口し、かつ前記案内面の幅方向中央部に向けて空気を吐出する中央部吐出口が前記案内面に開口していることを特徴とするものである。
【００１４】
また、前記目的を達成するために本発明は、前記特徴に加え、前記吸引口における前記シートと対向する開口縁を、凸曲面に形成したことを特徴とするものである。
【発明の効果】
【００１５】
本発明によれば、前記案内面に開口した吸引口から空気が吸引されることで、この吸引口近傍に負圧領域が形成される。この負圧領域にシートの浮き上がった部位が近接するとシートの上下面間に圧力差が生じ、シートを下方に向けて押し付ける力が作用する。また、本発明においては、前記先行技術と同様に、空気を横吹きすることで形成される空気流層によって引き寄せ作用および引き延ばす作用がもたらされるとともに、シートと案内面との間に介在する前記空気流層により前記引き寄せ作用が働いてもシートと案内面との接触を防止することができることから、これら作用が相乗的に働くことで、シートの暴れ、特にシート後端部の暴れは従来に比べ効果的に抑制される。
【００１６】
また、ファン等で加圧した空気を横吹きする吐出口近傍の領域と、前記吸引口近傍に形成される負圧領域との間に圧力勾配が生まれることで、前記横吹きによって形成される空気流層の勢いを助長し、シートの引き寄せおよび引き延ばし作用を向上させ、シートをさらに安定して搬送することができる。
【００１７】
また、本発明によれば、前記案内面の幅方向中央部に吸引口を設けることでこの部分にも負圧領域が形成され、シートの幅方向中央部を案内面に引き寄せる作用が生じる。
【００１８】
さらに、吸引口を案内面の幅方向中央部に設け、かつこの吸引口近傍に向けて空気を吐出する吐出口を併設した場合においては、前記空気流層が前記中央部の吸引口近傍にも形成されることから、この部分におけるシートと案内面との非接触状態も確保される。
【００１９】
なお、シートが激しく暴れると吸引力が作用する吸引口近傍でシートと案内面とが衝突し、また、吐出する空気量に比べ前記吸引口から吸引される空気量が相対的に過剰になることで前記吸引口近傍の空気流層が消滅するとシートが案内面に強く接触してしまうことが予想される。この様な事態が生じても、シートと対向する前記吸引口の開口縁が凸曲面に形成されている本発明においては、シートに接触痕が付くことはなく、印刷障害を防止することができる。
【図面の簡単な説明】
【００２０】
【図１】図１は、本発明に係るシート案内装置が適用された多色刷りの枚葉印刷機の概略を示した構成図である。
【図２】図２は、本発明に係るシート案内装置の側面図である。
【図３】図３は、本発明に係る第一の実施形態の図２におけるＡ−Ａ断面図である。
【図４】図４は、本発明に係る第一の実施形態におけるシート案内装置の平面図である。
【図５】図５は、本発明に係る第一の実施形態におけるシート案内装置の図４におけるＢ−Ｂ断面の開口縁近傍の拡大図である。
【図６】図６は、本発明に係る第一の実施形態における他のシート案内装置の平面図である。
【図７】図７は、本発明に係る第一の実施形態における他のシート案内装置の図６におけるＣ−Ｃ断面の開口縁近傍の拡大図である。
【図８】図８は、本発明に係る第二の実施形態の図２におけるＡ−Ａ断面図である。
【図９】図９は、本発明に係る第二の実施形態におけるシート案内装置の平面図である。
【図１０】図１０は、本発明に係る第二の実施形態における他のシート案内装置の平面図である。
【発明を実施するための形態】
【００２１】
以下、図１ないし図１０に基づいて、本発明に係るシート案内装置に関する２つの実施の形態について説明する。このうち第一の実施の形態については特に図３ないし図７を用いて説明し、第二の実施の形態については特に図８ないし図１０を用いて説明する。なお、各図面は模式図であり、実機に用いられる仕様とは必ずしも一致するものではない。また、便宜上、説明中の前後左右については、シートの搬送方向を前方とし、この搬送方向に向かって左手側を左、右手側を右とする。上下については、枚葉印刷機を通常の位置関係で設置した状態を基準に定める。
【００２２】
図１中の符号１で示す枚葉印刷機は、積載台２に積載されたシート３を１枚ずつ供給する供給部４と、供給されたシート３を印刷する４組の印刷ユニット５Ａないし５Ｄからなる印刷部５と、印刷されたシート３が排出される排出部６とによって概略構成されている。各印刷ユニット５Ａないし５Ｄには、図示を省略したインキ装置と給水装置とからインキと水とがそれぞれ供給される版胴７と、この版胴７に対接するゴム胴８と、このゴム胴８に対接しシート３を搬送する圧胴９とが備えられている。
【００２３】
図１に示すように、各印刷ユニット５Ａないし５Ｄの圧胴９，９間には本発明における搬送胴としてのスケルトン型渡し胴２０が設けられ、さらに印刷ユニット５Ｄと排出部６との間には本発明における搬送胴としてのデリバリ胴２１が設けられている。これらスケルトン型渡し胴２０およびデリバリ胴２１の下方にはそれぞれ本発明に係るシート案内装置３０が設けられている。
【００２４】
渡し胴２０は、図２に示すように、左右のフレームによって回転自在に支持された軸２２と、この軸２２に固定された略直方体の回転体２３とを備えている。この回転体２３における半径方向の両端部には、シート３の先端部をくわえるくわえ爪装置２４，２４が設けられている。
【００２５】
前記シート案内装置３０は、中空状であって渡し胴２０の胴長よりもやや広い全幅を有し、上部にシートを案内する案内面３１を備えている。この案内面３１の側面視における形状は、渡し胴２０に設けられた爪装置２４が描く回転軌跡に倣うように、この回転軌跡と略同じ曲率の円弧状を呈している。
【００２６】
このシート案内装置３０の内部空間の下部には、図３に示すように、ファン４０が設置されている。このファン４０の回転によって前記シート案内装置３０内部の空気が加圧され、この空気を後述する吐出口３２ａおよび３２ｂから吐出する構造となっている。このように、シート案内装置３０の内部空間は、空気吐出用ダクトとして機能する。
【００２７】
図３ないし図７に示す第一の実施の形態においては、案内面３１に沿って空気を側方に向けて吐出するための吐出口３２ａおよび３２ｂが開口している。このうち吐出口３２ａは、合計２７個の吐出口からなり、いずれも案内面３１の幅方向中央より左側の領域に開口し、案内面３１の左側方、すなわち吐出口３２ａが開口する位置から近い側端に向けて空気を吐出する。一方吐出口３２ｂは、合計２７個の吐出口からなり、いずれも案内面３１の幅方向中央より右側の領域に開口し、案内面３１の右側方、すなわち吐出口３２ｂが開口する位置から近い側端に向けて空気を吐出する（図４参照）。これら吐出口３２ａおよび３２ｂは、案内面３１の全域にわたって略均一に配置されており、互いに左右幅方向の中央線に対して線対称の関係にあって、いずれも前後（搬送）方向へ一列となって略等間隔に並んだ９個の吐出口が、左右幅方向へ一定の間隔を隔てて３列ずつ設けられている（図４参照）。
【００２８】
前記吐出口３２ａおよび３２ｂは、いずれも案内面３１から下方へなだらかに沈み込みながら先細りする略台形状の窪みからなり、最も細くかつ深く沈み込んだ先端部にシート案内装置３０の内部空間と連通する開口が形成されている（図３および図４参照）。
【００２９】
本実施の形態においては、前記計２７個の吐出口３２ａおよび計２７個の吐出口３２ｂと、前記ファン４０と、空気吐出用ダクトとして機能する前記シート案内装置３０の内部空間とから空気を吐出する手段が構成されている。
【００３０】
また、案内面３１には、図３および図４に示すように、空気を吸引する複数の吸引口３３が設けられている。吸引口３３は、例えば前後方向へ細長く伸びたスリット状を呈しており、その開口縁３３ａは、図４および図５に示すように、全周にわたって凸曲面に形成されている。吸引口３３は、例えば案内面３１の左右両側端近傍と左右幅方向中央部とに計３本設けられており、案内面３１の前端から後端までの略全域にわたって形成されている（図４参照）。前記３本の吸引口３３の間には、それぞれ１８個の吐出口３２ａおよび３２ｂが配設されている（図４参照）。この３本の吸引口３３は、いずれも通路５０と連通している（図３参照）。
【００３１】
前記通路５０は、図３に示すように、前記吸引口３３と吸引装置６０とを連通する空気吸引用ダクトとして機能する要素であり、例えばシート案内装置３０の内部空間を通過した後シート案内装置３０の一側面を貫通して外部へ延びるパイプ材から構成されている。なお、空気吐出用ダクトとして機能する前記シート案内装置３０の内部空間を空気吸引用ダクトとして機能する前記通路５０が通過する構造ではなく、それぞれが完全に独立する形で個別に設けられた構造であってもよい。また、通路５０の途中には、吸引装置６０からの吸引圧を調整するためのバルブＶが設けられている。
【００３２】
本実施の形態では、前記案内面３１に開口した計３本の吸引口３３と、空気吸引用ダクトとして機能する前記通路５０と、吸引力の発生源である前記吸引装置６０とによって前記案内面３１の表面近傍の空気を吸い込む吸引手段が構成されている。この吸引手段の働きによって吸引口３３近傍に負圧領域が形成され、前記発明の効果の欄で述べた原理によってシート３を案内面３１に引き寄せる作用がもたらされる。
【００３３】
なお、前記スリット状を呈した３本の吸引口３３を、図６に示すような複数の円形状を呈した孔からなる吸引口３４としてもよい。この場合、例えば５つの吸引口３４が前後（搬送）方向へ一列となって略等間隔に配置してなる吸引口群を形成し、かつこの吸引口群が案内面３１の左右両側端部と左右幅方向中央部とに計３列設けられている。この３列の吸引口群の間には、それぞれ１８個の吐出口３２ａおよび３２ｂが配置されている（図６参照）。吸気口３４の開口縁３４ａは、吸引口３３の開口縁３３ａと同様に、全周にわたって凸曲面に形成されている（図６および図７参照）。
【００３４】
また、本実施の形態では、前述したように、ファン４０によって加圧した空気を吐出しているが、ファン４０に代えて他の加圧方式による加給圧装置を用いてもよい。さらに、吸引装置６０からの排気を吐出用の空気として利用する構造としてもよい。
【００３５】
以上の構成からなる第一の実施の形態によるシート案内装置３０が設置された枚葉印刷機１の搬送態様について以下に説明する。
【００３６】
図１に示すように、供給部４からフィーダボード７０上に送り出されたシート３は、前端が揃えられた後にスウィング装置（図示せず）によって搬送胴（渡し胴）７１に受け渡され、その後１色目の印刷ユニット５Ａの圧胴９のくわえ爪にくわえ替えられて印刷部５へ搬送される。圧胴９によって搬送されるシート３は、ゴム胴８との間を通過する間にこのゴム胴８と接する面に１色目が印刷される。その後印刷ユニット５Ｂないし５Ｄを順次通過する間に計４色が印刷される。印刷部５を経由したシート３は、排出部６の排出チェーン７２の排出爪にくわえ替えられ、排出パイル７３上に落下積載される。
【００３７】
前記印刷部５内を通過するシート３は、各色の印刷ユニット５Ａないし５Ｄの間に設けられた本発明に係るシート案内装置３０によって誘導案内されることで後端部の暴れが抑えられ、安定した状態で搬送される。
【００３８】
この点について詳述すると、先端部を圧胴９のくわえ爪から渡し胴２０のくわえ爪装置２４にくわえ替えられたシート３は、くわえ爪装置２４の回転軌跡に倣った形を呈しながら渡し胴２０と案内面３１との間に誘導される（図２参照）。この案内面３１の上面からは、ファン４０によって加圧された空気が、吐出口３２ａを通じて案内面３１に沿うように左側方へ、また吐出口３２ｂを通じて案内面３１に沿うように右側方へそれぞれ吐出されている（図３および図４中の矢印参照）。これにより、シート３と案内面３１との間に案内面３１の中央から左右両側方に向かって流れる空気流層８０が形成される（図３参照）。この空気流層８０が形成されることによって、前記先行技術と同様に、シートを案内面３１に引き寄せる作用とシートを左右に引き延ばす作用とが生じる。
【００３９】
さらに、この案内面３１に開口した吸引口３３または３４の近傍には、吸引口３３または３４と通路５０と吸引装置６０とから構成される吸引手段の働きによって負圧領域が形成されており、この負圧領域をシート３が通過すると、上下面間の圧力差に起因した押し付け力がシート３に作用する。この結果、シート３は、図３中の矢印αで示すように、案内面３１に向けて引き寄せられる。このように本実施の形態では、前記空気流層８０が形成されることで生じる引き寄せ作用と左右への引き延ばし作用とによっては十分に抑制することのできないシート３の大きな暴れであっても、当該負圧領域が形成されることで生じる引き寄せ作用によって、これを抑制することが可能になる。
【００４０】
なお、本実施の形態においては、案内面３１の左右幅方向の中央部に吸引口３３または３４が開口していることから（図３および図４参照）、この部分にも負圧領域が形成される。これにより、シート３の左右幅方向中央部における暴れも効果的に抑制される。
【００４１】
また、前記空気流層８０がシート３と案内面３１との間に介在することで、シート３と案内面３１との接触が防止される。この空気流層８０は、吸引口３３または３４から吸引される空気量に比べて多量の空気が前記吐出口３２ａおよび３２ｂから吐出される限りにおいて、シート３と案内面３１との間に持続的に形成される。ここで、幅方向中央部と左右両側方とに設けられた吸引口３３または３４の間には、前述したように、それぞれ１８個の吐出口３２ａおよび３２ｂが配設されている。このため、シート３は、負圧領域からの押力を受けながらも吐出口３２ａおよび３２ｂからの横吹きによって形成される前記空気流層８０によって全体が持ち上げられ、案内面３１に沿って安定した状態で搬送される。
【００４２】
さらに、本実施の形態においては、前記ファン４０によって加圧された空気が吐出される前記吐出口３２ａおよび３２ｂ近傍の領域と、前記吸引口３３または３４近傍に形成される負圧領域との間で生じる圧力勾配によって、前記空気流層８０を形成する一部の空気流が加速され、その結果、相対的にシート３の動きなどに引き摺れ難い安定かつ外乱等に強い空気流層８０が形成される。
【００４３】
すなわち、案内面３１の左右両側端部近傍に設けられた吸引口３３または３４は、吐出口３２ａおよび３２ｂからの横吹きによって形成される空気流の下流側に位置することから（図３、図４および図６参照）、吐出口３２ａから横吹きされた空気は、淀むことなく前記圧力勾配によって流速が加速されながら左側端部近傍に開口した吸引口３３または３４に向かって流れる空気流β１を形成し、また、吐出口３２ｂから横吹きされた空気は、淀むことなく前記圧力勾配によって流速が加速されながら右側端部近傍に開口した吸引口３３または３４に向かって流れる空気流β２を形成する（図３、図４および図６参照）。この空気流β１および空気流β２は、前記圧力勾配によって流れの方向が整えられ、かつ流速が増大された空気流であることから、これら空気流β１と空気流β２とを含んでなる空気流層８０は、シート３の動きに引き摺られ難い強い空気流層として形成されることになる。
【００４４】
ここで、前記圧力勾配が大きいほど流速は大きく加速され、シート３下面の気圧を低下させるのに好適である。圧力勾配を大きくするためには吸引力を高くし、または吸引口と吐出口との間隔を短くすることが有効である。本発明においては、シート３と案内面３１との接触を防止する観点から、吸引圧を低く設定することが好ましい使用環境にあるため、吸引口と吐出口との間隔を短くすることが有用である。なお、吸引口の具体的な配置については、本実施の形態にとらわれることなく吐出口の位置や吸引圧等を考慮した上で適宜定めればよい。
【００４５】
以上のように、第一の実施の形態によれば、吸引口３３または３４を新設したことでもたらされる前記負圧領域下での引き寄せ作用と、前記吸引口３３または３４を案内面３１上に新設したことでもたらされる前記安定かつ外乱等に強い空気流層８０による引き寄せ作用および左右への引き延ばし作用とによって、シート３の後端部の暴れを効果的に抑制することができる。さらに、空気流層８０がシート３と案内面３１との間に介在することで、相互に接触することなく安定した搬送状態が実現される。
【００４６】
なお、前述したように、シート３が激しく暴れると、シート３と吸引力が作用する吸引口３３または３４近傍でシート３と案内面３１とが衝突し、また、吐出する空気量に比べ前記吸引口３３または３４から吸引される空気量が相対的に過剰になることで前記吸引口３３または３４近傍の空気流層８０が消滅するとシート３が案内面３１に強く接触することになる。このような事態が生じても、吸引口３３の開口縁３３ａまたは吸引口３４の開口縁３４ａが、図５または図７に示すように、全周にわたって凸曲面に形成されていることから、シート３に接触痕が付くことは回避され、印刷障害の発生が防止される。
【００４７】
次に、図８ないし図１０に基づき第二の実施の形態について説明する。この第二の実施の形態は、前記第一の実施の形態に対して、案内面３１上の左右幅方向の中央部に開口した吸引口３３または３４を挟むように、この吸引口３３または３４の左右近傍に２列の中央部吐出口３２ｃを追設したシート案内装置である。以下、前記第一の実施の形態との相違点を中心に説明する。
【００４８】
前記中央部吐出口３２ｃは、吐出口３２ａおよび３２ｂと同様に、いずれも案内面３１から下方へなだらかに沈み込みながら先細りする略台形状の窪みからなり、最も細くかつ深く沈み込んだ先端部にシート案内装置３０の内部空間と連通する開口が形成されている（図８ないし図１０参照）。
【００４９】
前記中央部吐出口３２ｃは、図９および図１０に示すように、前後方向へ一列となって略等間隔に並んだ９個の吐出口が、案内面３１の左右幅方向の中央部に開口した吸引口３３または３４に対して左右対称となる位置に計２列設けられている。これら計１８個の中央部吐出口３２ｃは、いずれも前記吸引口３３または３４が開口している案内面３１の左右幅方向の中心線に向かって空気を吐出するように構成されている。
【００５０】
この第二の実施の形態においては、空気吐出用ダクトとして機能するシート案内装置３０の内部空間と、計２７個の吐出口３２ａ，と計２７個の吐出口３２ｂと、計１８個の中央部吐出口３２ｃと、ファン４０とから空気を吐出する手段が構成されることになる。
【００５１】
以上の構成からなる第二の実施の形態のシート案内装置３０が設置された枚葉印刷機においては、前記第一の実施の形態における効果に加え、以下の効果を奏する。
【００５２】
すなわち、中央部吐出口３２ｃから吐出される空気は、図８ないし図１０に示すように、案内面３１の左右幅方向の中央部に設けられた吸引口３３または３４近傍に形成される負圧領域に向けて一定の速さで流れる空気流β３を形成する。この空気流β３が形成されることでシート３の中央部を案内面３１に引き寄せる作用が生じる。この作用と前記負圧領域が形成されることでもたらされる引き寄せ作用とによって、シート３の後端部中央部の暴れが効果的に抑制される。
【００５３】
また、シート３の中央部の下面と案内面３１との間に前記空気流β３が介在することで、この部分におけるシート３と案内面３１との接触が防止される。これにより、シート３の中央部も案内面３１に沿って安定して搬送され、シート３全体が安定して搬送される。
【００５４】
以上に述べた２つの実施の形態は、あくまでも本発明の一例であり、これら実施の形態に種々の変更を加えてもよい。例えばシート案内装置３０の左右両側方に負圧の空気吸引用ダクトを別途設けるなどすることで、シート３の左右側方に流れ出る空気を全てこの空気吸引用ダクトで回収する構造としてもよい。この構造によれば、吐出した空気による気流の乱れ等が可及的に回避され、案内面３１の表面近傍の空気がより好適に整流されることで、さらに安定した状態でシート３を搬送することができる
【符号の説明】
【００５５】
１…枚葉印刷機、３…シート、２０…渡し胴（搬送胴）、３０…シート案内処置、３１…案内面、３２ａ…吐出口、３２ｂ…吐出口、３２ｃ…中央部吐出口、３３…吸引口、３３ａ…吸引口開口縁、４０…ファン、５０…通路、６０…吸引装置。
【図１】
2016132517.tif 000003
【図２】
2016132517.tif 000004
【図３】
2016132517.tif 000005
【図４】
2016132517.tif 000006
【図５】
2016132517.tif 000007
【図６】
2016132517.tif 000008
【図７】
2016132517.tif 000009
【図８】
2016132517.tif 000010
【図９】
2016132517.tif 000011
【図１０】
2016132517.tif 000012